(57)【要約】      （修正有）【課題】人や物に付着している塵埃の除去を十分に行えるとともに、入室者の管理を行き届くようにするエアシャワー装置を提供する。【解決手段】エアシャワー装置は、制御部と、第１のドアを通過する使用者のIDを検出するIDタグ検出手段と、エアシャワー室に設けられた使用者を検出するセンサとを有し、制御部は、IDタグ検出手段が検出した第１の使用者の数と、前記センサで検出した第２の使用者の数とを比較し、第１の使用者の数と第２の使用者の数とが一致しない場合には、使用者がエアシャワー室内から退出したことをセンサにより検出するまでノズルから空気を吹き出さないように制御し、第１の使用者の数と第２の使用者の数とが一致した場合であって、センサで検出した使用者の数が予め定めた人数より小さい、もしくは等しい場合には、前記ノズルから空気を吹き出すように制御する。【選択図】図４
2019052832.tif 000002
【特許請求の範囲】
【請求項１】
空気を吹き出すノズルが設けられたエアシャワー室と、前記エアシャワー室への出入り口である第１のドアと前記第１のドアと対向する面に設けた第２のドアと、制御部とを有するエアシャワー装置であって、
前記第１のドアを通過する使用者のIDを検出するIDタグ検出手段と、
前記エアシャワー室に設けられた前記使用者を検出するセンサとを有し、
前記制御部は、
前記IDタグ検出手段が検出する第１の使用者の数と、前記センサで検出した第２の使用者の数とを比較し、
前記第１の使用者の数と前記第２の使用者の数とが一致しない場合には、前記使用者が前記エアシャワー室内から退出したことを前記センサにより検出するまで前記ノズルから空気を吹き出さないように制御し、
前記第１の使用者の数と前記第２の使用者の数とが一致した場合であって、前記センサで検出した前記使用者の数が予め定めた人数より小さい、もしくは等しい場合には、前記ノズルから空気を吹き出すように制御することを特徴とするエアシャワー装置。
【請求項２】
請求項１に記載のエアシャワー装置であって、前記制御部は、前記第１の使用者の数と前記第２の使用者の数とが一致しない場合には、アラートを出し、前記センサにより前記エアシャワー室から全員が退出したかどうか検出し、全員が退出した場合には、前記第１の使用者の数と前記第２の使用者の数をリセットし、全員が退出するまで、前記第１のドアの開状態を維持することを特徴とするエアシャワー装置。
【請求項３】
請求項１に記載のエアシャワー装置であって、前記制御部は、前記第１の使用者の数と前記第２の使用者の数とが一致した場合であって、一致した人数が、前記予め定めた人数を超えた場合には、超過人数が退出するまでアラートを出して退出を要求し、前記センサにより、超過人数が退出したことを検出した場合には、前記第１のドアを閉状態にすることを特徴とするエアシャワー装置。
【請求項４】
請求項３に記載のエアシャワー装置であって、前記制御部は、前記センサにより、作業者の退出を検出するたびに、前記制御部にて記録された第１の使用者の数及び前記第２の使用者の数を減算し、記録された前記第１の使用者の数及び前記第２の使用者の数が、前記予め定めた人数以下となり、前記エアシャワー室に設けたエアジェット作動用センサにより、その検知範囲内に使用者が位置することを検出した場合には、前記第１のドアを閉状態にすることを特徴とするエアシャワー装置。
【請求項５】
請求項４に記載のエアシャワー装置であって、前記エアシャワー室は、複数ユニットに分かれており、前記制御部は、前記第２の使用者の数が前記予め定めた人数より少ない場合には、前記センサにより使用者を検出したユニットのみに前記ノズルから空気を吹きつけるように制御し、前記第１の使用者の数と前記第２の使用者の数をリセットすることを特徴とするエアシャワー装置。
【発明の詳細な説明】
【技術分野】
【０００１】
本発明は、ファン等で加圧された空気を用いて塵埃を除去するエアシャワー装置に係り、特に、複数の作業者が入室する場合に好適なエアシャワー装置に関する。
【背景技術】
【０００２】
特許文献１には、エアシャワー装置の複数ユニットを連結し、ユニットに作業者が入室していたら、清浄空気を吹き出すようにし、作業者がユニットに入室していない場合には、清浄空気を吹き出さないように、エアジェットノズルの駆動を制御することで、省エネを実現するエアシャワー装置が開示されている。
【先行技術文献】
【特許文献】
【０００３】
【特許文献１】特開２０１５−１６７３８７号公報
【発明の概要】
【発明が解決しようとする課題】
【０００４】
エアシャワー装置は、エアシャワー室内の人や物に対して、エアジェットノズルからエアジェットを噴出して、人や物に付着している塵埃を吹き飛ばし、この吹き飛ばされた塵埃は、エアシャワー装置内に設けたプレフィルタ(空気の吸込み口に相当)より吸引され、ファンモータで加圧され、HEPAフィルタ等のメインフィルタを通して除去される。その後、塵埃が除去された循環エアは、再度エアジェットノズルより吹き出される。しかしながら、エアシャワー室への入室人数が過多になると、人や物に付着している塵埃が除去しきれない。また、ICタグを所持しない者が、ICタグを所持した者とともに、エアシャワー室に入り、エアシャワー装置を通過して、その後に設けられたクリーンルームで作業をする作業者などの管理が不十分となる。入室人数が過多となった場合での塵埃の除去が不十分であること、ならびに、入室者の管理が行き届いていない場合があることについては、特許文献１には、配慮がなされていない。
【０００５】
本発明の目的は、人や物に付着している塵埃の除去を十分に行えるとともに、入室者の管理を行き届くようにするエアシャワー装置を提供することである。
【課題を解決するための手段】
【０００６】
本発明の好ましい一例としては、空気を吹き出すノズルが設けられたエアシャワー室と、前記エアシャワー室への出入り口である第１のドアと前記第１のドアと対向する面に設けた第２のドアと、制御部とを有するエアシャワー装置であって、前記第１のドアを通過する使用者のIDを検出するIDタグ検出手段と、前記エアシャワー室内に設けられた前記使用者を検出するセンサとを有し、前記制御部は、前記IDタグ検出手段が検出した第１の使用者の数と、前記センサで検出した第２の使用者の数とを比較し、前記第１の使用者の数と前記第２の使用者の数とが一致しない場合には、前記使用者が前記エアシャワー室内から退出したことを前記センサにより検出するまで前記ノズルから空気を吹き出さないように制御し、前記第１の使用者の数と前記第２の使用者の数とが一致した場合であって、前記センサで検出した前記使用者の数が予め定めた人数より小さい、もしくは等しい場合には、前記ノズルから空気を吹き出すように制御するエアシャワー装置である。
【発明の効果】
【０００７】
本発明によれば、人や物に付着している塵埃の除去を十分に行えるとともに、入室者の管理を行き届くようにするエアシャワー装置を得ることができる。
【図面の簡単な説明】
【０００８】
【図１】実施例に係るエアシャワー装置の全体構成を示す外観斜視図である。
【図２】エアシャワー装置の側面断面図である。
【図３】エアシャワー装置の平面図である。
【図４】エアシャワー装置の制御部のフローを説明する図である。
【発明を実施するための形態】
【０００９】
以下に本発明の実施形態について、図面を用いて説明する。
【実施例】
【００１０】
図１は、実施例に係る連結仕様のエアシャワー装置の全体構成を示す外観斜視図で、エアシャワー室のユニットは３台連結して設置しているがこれに限るものではない。図１において、100は連結仕様のエアシャワー装置、1は出入り口側のエアシャワー室ユニット、２はエアシャワー室ユニット１に連結した中央のエアシャワー室ユニット、３はエアシャワー室ユニット２に連結したクリーンルーム側のエアシャワー室ユニット、4は出入り口側の自動ドア、５は自動ドアユニットのカバー部分、6は出入り口側のハンズフリーリーダー、７は出入り口側自動ドア起動センサ、８はドア窓、9はドアロック解除スイッチである。これらの配置は図１に従わなくとも良い。なお4の自動ドアはシートシャッターでも良い。ハンズフリーリーダー6は、作業者が、タグを所持しているだけで、リーダーにかざすことなく個人を認証する。
【００１１】
図２は、連結仕様のエアシャワー装置の側面断面図で、エアシャワー室のユニットは３台連結して設置しているがこれに限るものではない。
10は作業者、１１は人数カウント用光電センサ、12はエアジェット作動用光電センサ、13はエアジェットノズルである。作業者がハンズフリーリーダー6の検知エリアに入った時、ICタグを身につけていれば出入り口側自動ドア4、あるいはクリーンルーム側自動ドア18が開錠し、入室することができる。
【００１２】
ICタグとは、シールラベル、タグ、コイン、キー、カプセルなど種々の形状のものにICチップと小型のアンテナを埋め込み、そこに記憶された情報を電波によって直接触れずに読み取る技術のことである。ICタグを、作業者が着用している防塵服の内側の胸ポケットに挿入し、収納するようにして、エアシャワー装置に入室するのが望ましい。
【００１３】
出入り口付近の光電センサ11が、作業者の入室人数を測定する。エアジェット作動用光電センサ12は、その検知範囲内である所定の位置に作業者が立っているかを検知し、作業者を検知した場合には、エアジェットを作動させる。エアジェットノズル13は清浄空気を吹き出す。14はプレフィルタを示す。15は出入り口側のハンズフリーリーダー検知エリアを示す。
【００１４】
作業者の入室人数を測定するための光電センサは、発光部と受光部で構成し、発光部からでた光が検出物体によって変化したのを受光部が検知して電気信号を出力する非接触センサのことである。発光部には、発光素子（可視光または赤外のＬＥＤ,ＬＤ）を内蔵し、受光部には対応する受光素子（フォトトランジスタ、フォトダイオード）を内蔵している。また、光学系により透過型、反射型（拡散反射型、回帰反射型、限定反射型）、光ファイバ型などがある。非接触で、検出物体の材質を選ばず、他の近接センサに比べて、検出距離が長い。また、検出エリアが限定的、検出距離の設定も可能（反射型）、応答速度が速い、高精度、小型、使用する素子が長寿命で汚れにも強い、色の判別が可能などの利点がある。
【００１５】
また、エアシャワー室内の天井の中央付近に人感センサを設置して、エアシャワー室内の作業者を検知するようにしてもよい。人感センサは、人間の所在を検知するためのセンサで、赤外線と超音波を組み合わせて検知精度を向上させるものがあり、又それぞれ単独で使用しているものもある。赤外線センサは、波長が０．７８〜１００μｍの赤外線の光を感知するセンサで、赤外線は、絶対零度（−２７３℃）より温度が高いものより発せられ、全ての物体より発している。そして、温度が高いものは短い波長の赤外線を多く発し、温度が低いものは長い波長の赤外線を少なく発する。また、人感センサの一つである超音波センサは、超音波を発する送波器より対象物に向け発信し、その反射波を受波器で受信することにより対象物の有無や対象物までの距離を検出するものである。
本実施例において、人感センサは赤外センサでも超音波センサでも良く、また、二つのセンサを組み合わせたものでも構わない。
【００１６】
図３は、エアシャワー装置の平面図を示す。図３は実施例のエアシャワー装置が1ユニットの場合を示した平面図である。エアシャワー室のユニットは、図３では１台のみ設置しているがこれに限るものではない。16はクリーンルーム側のハンズフリーリーダー検知エリアを示す。17はクリーンルーム側のハンズフリーリーダーである。18はクリーンルーム側自動ドアである。なお18の自動ドアはシートシャッターでも良い。19はクリーンルーム側の自動ドア起動センサを示す。20は自動ドア4を正面として右側の本体ケースを示す。21は自動ドア4を正面として左側の本体ケースを示す。
【００１７】
図４は、エアシャワー装置の制御部（図示は省略）であるプログラマブルコントローラーの制御フローを説明するための図である。まずは、図１及び図２を用いて、自動ドアを利用したエアシャワー装置の動作について説明する。
【００１８】
作業者は、防塵服を身に着けてエアシャワー室ユニット1の出入り口側自動ドア起動センサ7の検知エリア内へ入り、出入り口側自動ドア4が開状態となりエアシャワー室ユニット１内に入る。エアシャワー室ユニット１内に入り自動ドアが閉状態となると、エアジェット作動用光電センサ12が、作業者を検知した瞬間に、ノズル13より作業者に対して清浄エアを、高速で約10秒〜15秒吹き付け、作業者に付着した塵埃や髪の毛を吹き飛ばす。
【００１９】
ノズル13は、エアシャワー装置の各ユニットの両側面の壁に6〜10個程度、整列して設置され、図示していないが天井面にも３〜５個設置されている。
ノズル13から吹き出された清浄エアは、作業者に付着していた塵埃や髪の毛などと一緒にエアシャワー内を舞い、エアノズル下側に設置されたプレフィルタ14より吸い込まれる。
プレフィルタ14は、本体ケース20及び本体ケース21の両側に設けられたファンによってエアシャワー内のエアを吸い込む。
【００２０】
次に、図４を用いて、出入り口側からクリーンルーム側へ通行する際の制御部の動作の説明をする。
入室前のハンズフリーリーダー待機状態を示す（S101）。この場合の待機状態とはハンズフリーリーダー検知エリア15内において、作業者のICタグを読み取ることが可能な状態である。
作業者がICタグを所持したままハンズフリーリーダー6の検知エリア15内に入るとハンズフリーリーダー6がICタグの固有IDを認証し、認証したIDを記録装置に記録する（S102）。認証できた場合認証できたIDの数をプログラマブルコントローラーにて記録する。認証できなかった場合、S101の待機状態に戻る。
【００２１】
出入り口側の自動ドア起動センサ7が待機状態となる(S103)。この場合の待機状態とは自動ドア起動センサが有効となり、センサ有効範囲内の作業者の検知が可能となる状態である。
【００２２】
ICタグの固有IDを認証後、一定時間以内に、起動センサが作業者を検知したかを判断する（S104）。一定時間以内に起動センサが作業者を検知しなかった場合S101の待機状態に戻り、ICタグの認証からやり直す。その際、プログラマブルコントローラーに記録した認証完了済みタグIDの数をリセットする。
【００２３】
一定時間以内に自動ドア起動センサ７が作業者を検知した場合、出入り口側自動ドア4を開く（S105）。
【００２４】
作業者がエアシャワー装置に入室する際、入り口付近の人数カウント用光電センサ１１が通行する作業者を検知し、その検知回数をエアシャワー装置内プログラマブルコントローラーにて記録する（S106）。
【００２５】
出入り口側ハンズフリーリーダー6にて認証したICタグの固有IDの数と106での人数カウント用光電センサ11の検知回数をプログラマブルコントローラー内にて比較する（S107）。認証したICタグの固有IDの数と人数カウント用光電センサ11の検知回数とが、一致している場合に、S109の処理を実行する。認証したICタグの固有IDの数と人数カウント用光電センサ11の検知回数とが、一致していなかった場合は、S108の処理を実行する。
【００２６】
固有IDの数と、S106で検出した人数カウント用光電センサ11による検知回数が一致していなかった場合は、ICタグを所持しないで入室した作業者がいると考えられることから、エアシャワー装置内の全員が退出するまで自動ドア４は開状態を維持し、ブザー(図示省略)などでアラートを出力して、処理を一時停止する（S108）。エアシャワー装置のエアシャワー室の各ユニットの天井に設けた人感センサ（図示せず）が、すべてのエアシャワー室において作業者を検知できない場合、もしくは人数カウント用光電センサ11が退出する人数をカウントしてエアシャワー室から全員が退出したかを判断し（S116）、全員が退出した時、S101の待機状態に戻る。その際プログラマブルコントローラーにて記録された認証済み固有ID数と人数カウント用光電センサ検知回数をリセットする。全員退出していないと判断した場合は、ブザーを鳴らし、処理は一時停止したままとなる（S108）。
【００２７】
プログラマブルコントローラーに記録された認証済み固有IDの数と106での人数カウント用光電センサ11検知回数が一致していた場合には、予め設定しておいたエアシャワー装置の定格人数としての入室制限人数と比較し（S109）、人数カウント用光電センサの検知回数、並びに認証済み固有ID数が、入室制限人数を超えている場合、S110の処理へ移行する。入室制限人数以下であった場合には、S112の処理へ移行する。
【００２８】
ブザーが鳴動し、超過人員の退出を促す(S110)。人感センサなどで、超過人員が退出したかを判断し（S111）、超過人員が退出し、入室制限人数以内となるまで自動ドア4は、開状態を維持し、エアジェット作動用光電センサ12は有効にならない。超過人員が退出するまでブザーは鳴動し続ける。人数カウント用光電センサ11が作業者の退出を検知するたび、プログラマブルコントローラー内にて記録された人数カウント用光電センサ11の検知回数及び認証済み固有ID数を1減算する。エアシャワー室から退出した作業者は、ハンズフリーリーダー6の検知範囲でIDが認証されるので、そのIDを管理することで、退出者を特定することができる。プログラマブルコントローラーにて記録された人数カウント用光電センサの検知回数、及び認証済み固有ID数が、入室制限人数以下となり、各作業者がエアジェット作動用光電センサ１２の検知範囲内に位置した時に、処理S112へ移行する。
【００２９】
出入り口側自動ドア4が閉状態となる（S112）。入室制限人数とプログラマブルコントローラーにて記録された人数カウント用光電センサ11の検知回数、及び認証済み固有ID数を比較し、プログラマブルコントローラーにて記録された人数カウント用光電センサ11の検知回数及び認証済み固有ID数が、入室制限人数と同数であるかを比較し（S113）、人数カウント用光電センサ11の検知回数、及び認証済み固有ID数が入室制限人数未満だった場合には、処理S114へ移行する。前記制御部は、検知回数及び認証済み固有ID数が入室制限人数と同数であった場合には処理S115へ移行する。エアジェットノズル13の制御を行う（S114）。例えば、図１の三連結エアシャワー装置において入室制限人数を３と設定し、かつエアシャワー装置内の人数が２であった場合、人感センサで作業者を検出したユニットにのみ、エアジェットを作動させるように制御することで、無駄な清浄エアを噴出させないので省エネになる。入室人数に応じてエアジェットノズル13が作動させるようにし、清浄空気を吹き出す。その後、クリーンルーム側自動ドア18が開く。クリーンルーム側のハンズフリーリーダー17で退出者の固有IDを検出することで、退出者を特定し、作業者が退出したことを検出できる。退出した時間などとともに、記録することで、エアシャワー装置を通過した作業者を管理することができる。入室した作業者の固有IDと退出した作業者の固有IDが一致した場合など、全員がエアシャワー装置から退出したことを検出した後、プログラマブルコントローラーに記録された認証済み固有ID数および、人数カウント用光電センサ11の検知した回数をリセットする（S115）。
【符号の説明】
【００３０】
１、２、３      エアシャワー室ユニット
６      出入り口側ハンズフリーリーダー
７      出入り口側自動ドア起動センサ
１０    作業者
１１    出入り口側人数カウント用光電センサ
１２    エアジェット作動用光電センサ
１３    エアジェットノズル
【図１】
2019052832.tif 000003
【図２】
2019052832.tif 000004
【図３】
2019052832.tif 000005
【図４】
2019052832.tif 000006